(57)【要約】      （修正有）【課題】缶タブをスムーズに引き抜き、力を使わずに缶開け操作を行え、怪我予防を可能にするイージーオープンエンドの缶タブオープナーを提供する。【解決手段】前端にテコ端３１を備える細長形状のオープナー棒３を設け、前記テコ端の後方棒部上部側に上方向に延伸するリング形状のハンドル３２を設ける。前記テコ端後方の棒部両側には、外方向に延伸し保護用の薄型の保護板４を設置する。先の鋭いテコ端を缶タブの嵌合口上部エッジに挿入すると、オープナー棒前段を更に延伸してイージーオープンエンドの側面側に跨らせるテコ支持点を形成し、使用者がハンドルを前方上方向に持ち上げて引っ張ると、缶タブ前端はイージーオープンエンドの上部蓋の一部を圧して開け下降させ、力の弱い切口を形成する。更に、オープナー棒の後方が側面側に跨りテコ支持点を形成し、後方上方の逆方向にハンドルを引っ張ると、持ち上がったテコ端は缶タブを引き掛け、スムーズにイージーオープンエンドの上部蓋全部を引っ張り、離脱させ、廃棄する。【選択図】図１
0003160182.tif 000002
【実用新案登録請求の範囲】
【請求項１】
イージーオープンエンドの缶タブオープナーは、主に、前端に先の鋭いテコ端を備える細長形状のオープナー棒を設け、前記テコ端の後方棒部上部側に上方向に延伸して使用者が握る為のリング形状のハンドルを設け、テコ端後方の棒部中段両側には、外方向に延伸し使用者がハンドルを握る時に手の底側を守る薄型の保護板を設置し、この構造は、先の鋭いテコ端を缶タブの嵌合口上部エッジに挿入し、オープナー棒前段を更に延伸してイージーオープンエンドの側面側に跨らせてテコ支持点を形成し、使用者がハンドルを前方上方向に持ち上げて引っ張ると、缶タブ前端はイージーオープンエンドの上部蓋の一部を圧して開け下降させ力の弱い切口を形成し、更に、オープナー棒の後方がイージーオープンエンドの他の対称となる側面側に跨りテコ支持点を形成し、使用者は後方上方の逆方向にハンドルを引っ張ると、持ち上がったテコ端は缶タブを引き掛け、スムーズにイージーオープンエンドの上部蓋全部を引っ張り、離脱させ、廃棄を可能とすることを特徴とするイージーオープンエンドの缶タブオープナー。
【請求項２】
前記オープナー棒の棒部中段両側には外方向に延伸する薄型の保護板を設置するが、それは独立する部品として設置可能であり、オープナー棒の対称箇所に保護板を插入定位させ、保護板の断面と同形状の嵌合口または底側面の凹み口を設け、保護板を嵌合または嵌入して定位し、オープナー棒下方向の両側に広がり、使用者の手が操作過程において上部蓋と接触せずに隔てられる常態作用を起こす板部品であることを特徴とする請求項１記載のイージーオープンエンドの缶タブオープナー。
【請求項３】
前記オープナー棒の棒部中段両側には、外方向に延伸する薄型の保護板を設け、それはオープナー棒と一体成型をなす同一部品として設置し、オープナー棒下方の両側方向に広がり、使用者の手が操作過程において上部蓋と接触せずに隔てられる常態作用を起こす板部品であることを特徴とする請求項１記載のイージーオープンエンドの缶タブオープナー。
【請求項４】
前記ハンドル嵌合口は前方向に延伸し、使用者が握り、主な施力位置は缶タブの嵌合口を超過し、最良の省力操作効果を提供することを特徴とする請求項１記載のイージーオープンエンドの缶タブオープナー。
【考案の詳細な説明】
【技術分野】
【０００１】
本考案のイージーオープンエンドの缶タブオープナーは、前端に先の鋭いテコ端を備える細長形状のオープナー棒を設け、テコ端の後方棒部上部側に上方向に延伸し使用者が握る為のリング形状のハンドルを結合し、並びに、テコ端後方の棒部中段両側に外方向に延伸する薄型の保護板を設けた簡単な構造である。使用者はこれを手で握り、插入して延伸させ、前を圧して後ろへ引く簡単操作で、迅速、安全、力を使わずにイージーオープンエンドの缶タブを引っ張り、缶オープンできる特徴を持つ専門器具を提供する。
【背景技術】
【０００２】
伝統的な缶詰の上、下密閉方式は、必ず手動または電動式の缶オープナーで蓋の周囲を切り取らなければならず、操作上、力や時間を費やし、且つ缶詰の開け口の内側縁がカット方式によって鋸歯状のデコボコした縁となる為、使用者は怪我をし易いという欠点がある。よって、最近の缶詰には、上部蓋の一方側に缶タブを設けた缶タイプが多く、使用者はそれを引っ張って上部蓋の密封を取り除いた後、引っ張り開け、離脱させる。
【考案の概要】
【考案が解決しようとする課題】
【０００３】
しかし、上述の缶の上部蓋のオープン、取り外し操作において、使用者は、指の先を缶タブ後端の嵌合口内に挿入し上方向に引っ張り動かし、缶タブの前端を下方に圧し、上部蓋の一方側に小さな裂目をつくり、更に他の一方向の弧形に基づいて上方向に缶タブを引っ張りあげて、上部蓋を完全に缶上部口から離脱させなければならない。しかしながら、缶タブはまず上部蓋上に平たく貼られており、指の端や爪を入れるのが難しく、且ち缶タブを引っ張りあげる時、缶タブの剛性以上の力を出してこそ、オープンまたは上部蓋を完全に取り外すことができる。よって、直接、缶タブを引っ張る操作は、相当な力を使うだけでなく、老人、弱者、幼児には不適当であるという欠点がある他、指の爪が折れたり指を痛めたりすることも常に発生している。特に、上部蓋は薄型の鉄片であり、イージーオープンエンドの周囲縁を離脱した時、鋭利な周囲を形成するため、素手で直接、缶タブを引っ張って上部蓋を開く過程において、上部蓋の鋭利なエッジに接触しての怪我が起こり易く、このイージーオープンエンドは缶切りを必要とせず開き口側の平たく整った構造には進歩性があるものの、それに伴われる使用性には欠点が残る。
【課題を解決するための手段】
【０００４】
本考案の主な目的は、力を使わずに操作可能なイージーオープンエンドの缶タブオープナーを提供することにある。それは主に、前端に先の鋭いテコ端を備える細長形状のオープナー棒を設け、テコ端の後方棒部上部側に使用者が握る為のリング形状のハンドルを結合し、先の鋭いテコ端を缶タブの嵌合口上部エッジに挿入し、オープナー棒前段を更に延伸してイージーオープンエンドの側面側に跨らせてテコ支持点を形成するか、オープナー棒後方をイージーオープンエンドのもう一方の対称となる側面側に跨らせてテコ支持点を形成し、何れの場合も使用者はそれを手に持って前方上方向に持ち上げるか逆方向に引っ張り、缶タブ前端でイージーオープンエンドの上部蓋を圧して開け力の弱い切口を形成するか、上に持ち上げるテコ端で缶タブを引き掛け、スムーズにイージーオープンエンドの上部蓋全体を引っ張り開けて、離脱させ、廃棄し、テコの省力原理を利用して、前を圧し、後に引っ張る簡単操作で缶開けを迅速に完了し、何れの使用者も缶開けを便利に、簡単な操作で行え、最良の実用的効果を持つことを特徴とする。
【０００５】
本考案の次の目的は、使用者を保護するイージーオープンエンドの缶タブオープナーを提供することにある。細長形状のオープナー棒の先の鋭いテコ端は、缶タブ嵌合口の上部縁に挿入して、上部蓋を引き掛けて持ち上げ、並びに、使用者には握り持つ為のハンドルと使用者の手の底側を守る為に下方に保護板を提供する。これにより、使用者は手を上部蓋に接触させることなく、手に怪我をする憂慮のない安全保護効果を達成することを特徴とする。
【考案の効果】
【０００６】
本考案のイージーオープンエンドの缶タブオープナーは、缶タブをスムーズに引き抜け、力を使わない缶開け操作を可能にし、怪我を予防するため、実用性、安全性に優れ、よって、実用性の増進という実用新案の成立要件に明らかに符合するものである。
【図面の簡単な説明】
【０００７】
【図１】本考案の立体図である。
【図２】本考案の立体分解図である。
【図３】本考案の背面立体図である。
【図４】本考案のもう一つの実施例に関する立体図である。
【図５】本考案のもう一つの実施例に関する背面立体図である。
【図６】本考案の手の握り箇所の立体図である。
【図７】本考案の操作実施例図１である。
【図８】本考案の操作実施例図２である。
【図９】本考案の操作実施例図３である。
【考案を実施するための形態】
【０００８】
図１、図２、図３に示す通り、本考案のイージーオープンエンドの缶タブオープナーは、主に、前端に先の鋭いテコ端３１を備える細長形状のオープナー棒３を設け、テコ端３１の後方棒部上部側に上方向に延伸する使用者が握る為のリング形状のハンドル３２を設け（図６参照）、テコ端３１の後方の棒部中段両側には、外方向に延伸し使用者がハンドルを握る時に手Ｈの底側を守る薄型の保護板４を設置する。
【０００９】
この構造は、先の鋭いテコ端３１を缶タブＰ２の嵌合口上部エッジに挿入し（図７参照）、オープナー棒３前段を更に延伸してイージーオープンエンドＰの側面側に跨らせてテコ支持点Ｓ１を形成し、使用者はハンドル３２を前方上方向に持ち上げて引っ張ることで、缶タブＰ２前端でイージーオープンエンドＰの上部蓋Ｐ１の一部を圧して開け下降させ弱力の切口を形成する（図８参照）。更に、オープナー棒３の後方がイージーオープンエンドＰの他の対称となる側面側に跨りテコ支持点Ｓ２を形成し、使用者は後方上方の逆方向にハンドル３２を引っ張ると、持ち上がったテコ端３１は缶タブＰ２を引き掛け（図９参照）、スムーズにイージーオープンエンドＰの上部蓋Ｐ１を全部引っ張り、離脱させ、廃棄することが可能である。
【００１０】
テコの原理を使って前を圧し、後ろを引っ張る簡単操作で、使用者の手Ｈは保護板４に守られて、上部蓋Ｐ１のエッジで怪我する憂慮はなく、且つ、操作過程において手Ｈは上部蓋Ｐ１に接触せずに力を使わず迅速に缶オープンする操作効果は、確実にイージーオープンエンドの適用性を改善することが可能である。
【００１１】
また、使用者が手でハンドル３２を握る位置は、図６に示す通りであり、ハンドル３２の嵌合口の前方に延伸し、使用者の握り、主な施力位置が缶タブＰ２の嵌合口を超えた時、最良の省力効果が得られる。
【００１２】
更に、図１、図２、図３に示す通り、オープナー棒３の棒部の中段両側には外方向に延伸し使用者がハンドル３２を握った時に手Ｈの底側を守る薄型の保護板４を設置するが、それは独立する部品とすることも可能であり、オープナー棒３の対称箇所に保護板４を插入定位させ、保護板４の断面と同形状の板口３３（或いは底側面の凹み口）を設け、保護板４を嵌合（或いは嵌入）定位して、オープナー棒３下方向の両側に広がり、使用者の手Ｈを隔てて操作過程において上部蓋Ｐ１と接触させないようにする常態作用を起こす板部品である。この分解設置する保護板４は、オープナー棒３と密着する為、使用前の包裝体積を縮小し、空間をとらず、運送費節約効果を有する。
【００１３】
更に、図４及び図５に示す通り、オープナー棒３の棒部中段両側には、外方向に延伸する薄型の保護板３４を設置するが、それはオープナー棒３と一体成型の同じ部品としての設置も可能であり、同様にオープナー棒３下方向の両側に広がり、使用者の手Ｈを隔てて操作過程において上部蓋Ｐ１と接触させないようにする常態作用を起こす板部品である。この同一部品として設置した保護板３４は、構造の簡素化、コスト削減、遺失防止、強度増強の実用的効果を有する。
【００１４】
前述した通り、本考案は、イージーオープンエンドの缶タブをスムーズに引き抜き、力を使わずに缶開け操作ができ、怪我を予防し、実用性、安全性に優れており、よって、実用性の増進という実用新案の成立要件に明らかに符合するものである。
【符号の説明】
【００１５】
３      オープナー棒
３１    テコ端
３２    ハンドル
４      保護板
３４    保護板
３３    板口
Ｐ      イージーオープンエンド
Ｐ１    上部蓋
Ｐ２    缶タブ
Ｓ１    テコ支持点
Ｓ２    テコ支持点
Ｈ      使用者の手
【図１】
0003160182.tif 000003
【図２】
0003160182.tif 000004
【図３】
0003160182.tif 000005
【図４】
0003160182.tif 000006
【図５】
0003160182.tif 000007
【図６】
0003160182.tif 000008
【図７】
0003160182.tif 000009
【図８】
0003160182.tif 000010
【図９】
0003160182.tif 000011
【手続補正書】
【提出日】平成22年4月7日(2010.4.7)
【手続補正１】
【補正対象書類名】実用新案登録請求の範囲
【補正対象項目名】請求項４
【補正方法】変更
【補正の内容】
【請求項４】
前記ハンドルの嵌合口は前方向に延伸し、使用者が握り、主な施力位置は缶タブの嵌合口を超過し、最良の省力操作効果を提供することを特徴とする請求項１記載のイージーオープンエンドの缶タブオープナー。